(57)【要約】【課題】処理効率を向上させることができる媒体整理装置を提供する。【解決手段】投入された媒体に対して鑑別を行う鑑別部と、前記鑑別部によって鑑別がなされた前記媒体を集積する複数の集積部と、前記各集積部に対して、前記各集積部が集積する前記媒体の種別を割当てる制御部と、前記鑑別部から排出された前記媒体を前記各集積部へ搬送する搬送部と、前記搬送部における前記媒体の搬送状態を検知する検知部とを備え、前記制御部により前記検知部の検知結果に基づいて搬送異常が検知された異常媒体を、前記複数の集積部のうちの前記異常媒体を集積するための異常媒体集積部に集積し、前記制御部により前記検知部の検知結果に基づいて前記搬送異常が検知されない正常媒体を、前記異常媒体集積部以外の前記集積部に集積する媒体整理装置を提供する。【選択図】図４
2017045171.tif 000002
【特許請求の範囲】
【請求項１】
投入された媒体に対して鑑別を行う鑑別部と、
前記鑑別部によって鑑別がなされた前記媒体を集積する複数の集積部と、
前記各集積部に対して、前記各集積部が集積する前記媒体の種別を割当てる制御部と、
前記鑑別部から排出された前記媒体を前記各集積部へ搬送する搬送部と、
前記搬送部における前記媒体の搬送状態を検知する検知部と、
を備え、
前記制御部により前記検知部の検知結果に基づいて搬送異常が検知された異常媒体を、前記複数の集積部のうちの前記異常媒体を集積するための異常媒体集積部に集積し、
前記制御部により前記検知部の検知結果に基づいて前記搬送異常が検知されない正常媒体を、前記異常媒体集積部以外の前記集積部に集積する、
媒体整理装置。
【請求項２】
前記搬送部は、
前記鑑別部から前記複数の集積部との間に設けられ、当該搬送部が前記各集積部へと分岐する分岐点と、
前記鑑別部の排出口から前記分岐点までの第１の搬送部と、
を含み、
前記制御部により前記第１の搬送部における前記搬送異常を検知された前記異常媒体を、前記異常媒体集積部に集積する、
請求項１に記載の媒体整理装置。
【請求項３】
前記制御部は、前記搬送異常を検知し、且つ、前記複数の集積部のいずれも前記異常媒体集積部として特定されていない場合には、前記複数の集積部のうち、前記媒体を集積していない前記集積部を前記異常媒体集積部として特定する、請求項１又は２に記載の媒体整理装置。
【請求項４】
前記制御部は、前記媒体を集積していない前記集積部がない場合には、既に前記正常媒体を集積する前記集積部を、前記異常媒体集積部として特定する、
請求項３に記載の媒体整理装置。
【請求項５】
前記制御部は、前記異常媒体集積部として特定された前記集積部に既に集積された前記正常媒体にかかる前記種別を、前記異常媒体集積部以外の前記集積部に割当てる、
請求項４に記載の媒体整理装置。
【請求項６】
前記媒体整理装置を操作する操作者に向けて表示を行う表示部をさらに備え、
前記制御部が前記異常媒体集積部を特定した場合には、前記表示部に対して、前記異常媒体集積部を明示するように指示する、
請求項３〜５のいずれか１項に記載の媒体整理装置。
【請求項７】
前記各集積部に集積された前記媒体の容量を検知する集積部用検知部をさらに備え、
前記制御部は、前記集積部用検知部の検知結果に基づいて集積異常が検知した場合には、当該集積異常にかかる前記集積部を前記異常媒体集積部として特定する、
請求項１に記載の媒体整理装置。
【請求項８】
前記制御部は、前記異常媒体集積部として特定された前記集積部に既に割り当てられた前記種別を、前記異常媒体集積部以外の前記集積部に割当てる、
請求項７に記載の媒体整理装置。
【請求項９】
前記搬送部は、
前記鑑別部から前記複数の集積部との間に設けられ、当該搬送部が前記各集積部へと分岐する分岐点と、
前記分岐点から前記各集積部までの複数の第２の搬送部と、
を含み、
前記制御部により前記第２の搬送部における前記搬送異常を検知された前記異常媒体を、当該搬送異常にかかる前記搬送部の領域に対応する前記集積部に集積する、
請求項７又は８に記載の媒体整理装置。
【発明の詳細な説明】
【技術分野】
【０００１】
本発明は、媒体整理装置に関する。
【背景技術】
【０００２】
金融機関や店舗等において、紙状媒体としての紙幣を金種ごとに分類し、計数し、さらに所定数ごとに結束する紙幣整理装置（媒体整理装置）が利用されている。例えば、紙幣整理装置は、紙幣を取り込む取込部と、取り込まれた紙幣の正損状態と金種とを鑑別し、且つ、紙幣を計数する鑑別部と、紙幣を金種ごとに集積する複数の集積部と、集積された紙幣を所定の枚数ごとに結束する結束部と、紙幣を紙幣整理装置内の各所へ搬送する搬送部と、鑑別部での鑑別結果に基づいて、紙幣を各集積部へ搬送するように搬送部を制御する制御部と、を主に有する。さらに詳細には、搬送部には、搬送する紙幣の搬送方向を切り替える切替部が設けられており、制御部が切替部を制御することによって、紙幣は鑑別部の結果に従って各集積部へ搬送される。このような紙幣整理装置の一例としては、下記の先行技術文献１が挙げられる。
【先行技術文献】
【特許文献】
【０００３】
【特許文献１】特開２０１１−１２３５７３号公報
【発明の概要】
【発明が解決しようとする課題】
【０００４】
紙幣整理装置（媒体整理装置）においては、鑑別部によって鑑別された紙幣が、鑑別結果に基づいて各集積部に搬送される際、紙幣同士が重なったり、紙幣同士が異常に近接したりする搬送異常が発生する場合がある。上述のような搬送異常が発生した場合、搬送部に設けられた切替部によって、重なった、もしくは異常近接した紙幣同士を互いに異なる搬送方向へ切り替えることは難しくなる。切替部によって各紙幣が、それぞれ対応する搬送方向へ搬送方向を切り替えることができなかった場合には、紙幣は集積されるべきでない集積部等に集積されることとなる。
【０００５】
したがって、上述のような誤集積を未然に防ぐために、従来の紙幣整理装置においては、搬送異常が発生すると、搬送異常にかかる紙幣を取り除くために紙幣の整理処理を停止する。そして、紙幣整理装置を操作する操作者は、紙幣整理装置を開けて搬送異常にかかる紙幣を取り除き、紙幣の処理を再度開始するための復旧作業を行うこととなる。すなわち、従来の媒体整理装置においては、搬送異常が発生すると紙幣の処理を停止させ、紙幣整理装置を復旧させるために時間と手間のかかる復旧作業を行うこととなり、よって紙幣整理装置における処理効率が低下する。
【０００６】
そこで、本発明は、上記問題に鑑みてなされたものであり、本発明の目的とするところは、処理効率を向上させることができる、新規かつ改良された媒体整理装置を提供することにある。
【課題を解決するための手段】
【０００７】
上記課題を解決するために、本発明のある観点によれば、投入された媒体に対して鑑別を行う鑑別部と、前記鑑別部によって鑑別がなされた前記媒体を集積する複数の集積部と、前記各集積部に対して、前記各集積部が集積する前記媒体の種別を割当てる制御部と、前記鑑別部から排出された前記媒体を前記各集積部へ搬送する搬送部と、前記搬送部における前記媒体の搬送状態を検知する検知部と、を備え、前記制御部により前記検知部の検知結果に基づいて搬送異常が検知された異常媒体を、前記複数の集積部のうちの前記異常媒体を集積するための異常媒体集積部に集積し、前記制御部により前記検知部の検知結果に基づいて前記搬送異常が検知されない正常媒体を、前記異常媒体集積部以外の前記集積部に集積する、媒体整理装置が提供される。
【０００８】
前記搬送部は、前記鑑別部から前記複数の集積部との間に設けられ、当該搬送部が前記各集積部へと分岐する分岐点と、前記鑑別部の排出口から前記分岐点までの第１の搬送部とを含み、前記制御部により前記第１の搬送部における前記搬送異常を検知された前記異常媒体を、前記異常媒体集積部に集積してもよい。
【０００９】
前記制御部は、前記搬送異常を検知し、且つ、前記複数の集積部のいずれも前記異常媒体集積部として特定されていない場合には、前記複数の集積部のうち、前記媒体を集積していない前記集積部を前記異常媒体集積部として特定してもよい。
【００１０】
前記制御部は、前記媒体を集積していない前記集積部がない場合には、既に前記正常媒体を集積する前記集積部を、前記異常媒体集積部として特定してもよい。
【００１１】
前記制御部は、前記異常媒体集積部として特定された前記集積部に既に集積された前記正常媒体にかかる前記種別を、前記異常媒体集積部以外の前記集積部に割当ててもよい。
【００１２】
前記媒体整理装置は、前記媒体整理装置を操作する操作者に向けて表示を行う表示部をさらに備え、前記制御部が前記異常媒体集積部を特定した場合には、前記表示部に対して、前記異常媒体集積部を明示するように指示してもよい。
【００１３】
前記媒体整理装置は、前記各集積部に集積された前記媒体の容量を検知する集積部用検知部をさらに備え、前記制御部は、前記集積部用検知部の検知結果に基づいて集積異常が検知した場合には、当該集積異常にかかる前記集積部を前記異常媒体集積部として特定してもよい。
【００１４】
前記制御部は、前記異常媒体集積部として特定された前記集積部に既に割り当てられた前記種別を、前記異常媒体集積部以外の前記集積部に割当ててもよい。
【００１５】
前記搬送部は、前記鑑別部から前記複数の集積部との間に設けられ、当該搬送部が前記各集積部へと分岐する分岐点と、前記分岐点から前記各集積部までの複数の第２の搬送部とを含み、前記制御部により前記第２の搬送部における前記搬送異常を検知された前記異常媒体を、当該搬送異常にかかる前記搬送部の領域に対応する前記集積部に集積してもよい。
【発明の効果】
【００１６】
以上説明したように本発明によれば、処理効率を向上させることができる媒体整理装置を提供することができる。
【図面の簡単な説明】
【００１７】
【図１】各実施形態に共通する紙幣整理装置の基本構成を示した説明図である。
【図２】各実施形態に共通する紙幣結束部の断面拡大図である。
【図３】各実施形態に共通する紙幣整理装置における制御系のブロック図である。
【図４】第１の実施形態による処理方法のフローチャートである。
【図５】各実施形態に共通する通知画面の一例（その１）である。
【図６】各実施形態に共通する通知画面の一例（その２）である。
【図７】第１の実施形態の変形例にかかる処理方法のフローチャート図である。
【図８】各実施形態に共通する通知画面の一例（その３）である。
【図９】第２の実施形態による処理方法のフローチャートである。
【図１０】第２の実施形態における画面表示の一例を示す図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、本明細書及び全図面において、実質的に共通する複数の構成要素を、同一の符号の後に異なるアルファベットを付して区別する場合もある。例えば、実質的に共通する複数の構成要素を、必要に応じて集積部１１０ａおよび集積部１１０ｂのように区別する。ただし、実質的に共通する複数の構成要素の各々を特に区別する必要がない場合、同一符号のみを付する。例えば、集積部１１０ａおよび集積部１１０ｂを特に区別する必要が無い場合には、単に集積部１１０と称する。
【００２０】
以下に説明する実施形態においては、金融機関や店舗等のバックヤードにおいて、紙幣を金種ごとに分類し、計数し、さらに所定数ごとに結束する紙幣整理装置に適用した場合について説明する。なお、本実施形態は、このような装置に限定されるものではなく、金融機関、店舗等で使用される取引装置や自動釣銭機等のような、紙状媒体を分類、整理する機構を有する装置に適用することができる。
【００２１】
また、以下の説明において、搬送異常とは、搬送部にて紙幣（紙状媒体）同士が重なったり、紙幣同士が異常に近接したりすること、及び、スキュー（斜行）のことをいう。なお、スキュー（斜行）とは、長方形状の紙幣が、紙幣を搬送する搬送部の延びる方向に沿った正しい方向を向いた状態（紙幣の長辺の向きが搬送部の延びる方向と同じ状態）で搬送されていない場合、すなわち、紙幣が上記正しい方向に対して斜めに傾いた方向を向いた状態（長方形の紙幣の長辺の向きが搬送部の延びる方向に対して斜めに傾いた状態）で搬送されていることをいう。
【００２２】
さらに、以下の説明において、搬送異常にかかる紙幣とは、上述の搬送異常の状態で搬送されている紙幣のことを指し、正常な紙幣とは、上述の搬送異常の状態ではない正常な状態（他の紙幣と重なっていない状態、他の紙幣と異常に近接していない状態、紙幣が、紙幣を搬送する搬送部の延びる方向に沿った正しい方向を向いた状態）で搬送されている紙幣のことを指す。なお、上述の搬送異常を検出する方法については、後述する。
【００２３】
＜紙幣整理装置１０の構成＞
まずは、後述する第１及び第２の実施形態に共通する紙幣整理装置１０の構成について説明する。紙幣整理装置１０は、操作者により投入された例えば紙幣のような紙状媒体を整理するための装置であり、詳細には、投入された紙幣を鑑別し、計数し、得られた鑑別結果に基づいて紙幣の金種ごとに集積し、集積された紙幣を所定の枚数ごとに結束する紙幣整理処理を行う。なお、以下の説明においては、紙状媒体として紙幣を整理する紙幣整理装置１０を本実施形態に係る媒体整理装置の一例として説明するが、本発明の実施形態においては、紙幣媒体は紙幣に限定されるものではない。
【００２４】
紙幣整理装置１０の基本構成を説明するための紙幣整理装置１０の断面図である図１、紙幣結束部１１４の基本構成を説明するための紙幣結束部１１４の拡大断面図である図２、及び紙幣整理装置１０における制御系のブロック図である図３を参照して、紙幣整理装置１０の基本構成について説明する。なお、図１及び図２においては、紙幣整理装置１０の操作者は、紙幣整理装置１０及び紙幣結束部１１４の左側に位置するものとする。
【００２５】
本実施形態に係る紙幣整理装置１０は、図１に示すように、取込部１００、鑑別部１０２、リジェクトポケット１０４、オープンポケット１０６、表裏反転部１０８、集積部１１０ａ〜ｅ、移送部１１２、紙幣結束部１１４、搬送部１１６、検知部１１８、操作表示部１２０、操作部１２２、記憶部１２４、外部インターフェース部１２６、制御部１２８、及び扉１３４を主に有する。
【００２６】
（取込部１００）
取込部１００は、紙幣整理装置１０の操作者と向かい合うように設けられ、操作者によって投入された複数の紙幣を取り込む部位である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１１６に一枚ずつ繰り出される。なお、取込部１００は、ビルプレス１５８の移動量を検知するセンサ（図示省略）等を有することによって、紙幣整理装置１０に投入された全ての紙幣の処理の完了（投入完了）を検知することができるように構成してもよい。
【００２７】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種などの紙幣の種類、正券（例えば、汚れが少ない紙幣）であるか損券（例えば、汚れが多い紙幣）であるかといった紙幣の正損、鑑別時における紙幣の表裏の向きを鑑別することができる。さらに、鑑別部１０２は、鑑別した紙幣を紙幣の種別ごとに計数することができ、計数した紙幣に記載された記番号を読み取ることもできる。なお、鑑別部１０２により鑑別された紙幣は、鑑別部１０２の排出口１０２ａから排出され、鑑別結果に基づいて搬送先（例えば各集積部１１０ａ〜ｅ）に搬送される。
【００２８】
（リジェクトポケット１０４）
リジェクトポケット１０４は、本実施形態に係る紙幣排出部の一例である。リジェクトポケット１０４は、鑑別部１０２により金種不明もしくは受付不能と鑑別された紙幣を格納する部位である。図１に示した例においては、リジェクトポケット１０４は、紙幣整理装置１０内の上方に設けられており、リジェクトポケット１０４に格納された紙幣を、紙幣整理装置１０の操作者が容易に回収することが可能である。
【００２９】
（オープンポケット１０６）
オープンポケット１０６は、本実施形態における結束対象外紙幣格納部の一例である。鑑別部１０２による鑑別結果が、リジェクトポケット１０４への搬送対象外で、かつ、予め紙幣整理装置１０における結束対象と定められている鑑別種別に該当しない場合には、鑑別され、搬送された紙幣は、オープンポケット１０６に格納される。オープンポケット１０６に格納される紙幣としては、予め結束対象と定められている鑑別種別が正券とされている場合には、損券がその一例として挙げられる。また、オープンポケット１０６は、図１に示した例においては、紙幣整理装置１０内の上方に設けられており、格納された紙幣を操作者が容易に回収することが可能である。なお、図１においては、オープンポケット１０６が２つ設けられているが、本実施形態においては、オープンポケット１０６の数が２つに限定されるものではなく、１つ以上あればよい。
【００３０】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０ａ〜ｅに集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。また、図１の例においては、表裏反転部１０８は、操作者から見て、紙幣整理装置１０内の鑑別部１０２の後ろに設けられている。また、表裏反転部１０８は、鑑別部１０２と集積部１１０ａ〜ｅの間に設けられている。そして、表裏反転部１０８は、基本的には、搬送先が各集積部１１０ａ〜ｅである紙幣だけが搬送される。
【００３１】
（集積部１１０ａ〜ｅ）
各集積部１１０ａ〜ｅは、基本的には、鑑別部１０２による鑑別結果が予め結束対象と定められている鑑別種別に該当する場合に、鑑別された紙幣が搬送され、かつ、搬送された紙幣を種別ごとに、集積する部位である。各集積部１１０ａ〜ｅは、例えば操作者側に設けられた扉１３４を開けることによって、操作者によって取り出されることができる。扉１３４には、電磁ロック等の施錠機構（図示省略）及び扉１３４の開閉を検知する開閉センサ（図示省略）が設けられており、後述の制御部１２８が、施錠機構及び開閉センサを制御することにより、扉の施錠を制御し、操作者による扉１３４の開閉を検知することができる。また、各集積部１１０ａ〜ｅは、予め定められた結束枚数（例えば１００枚）まで集積可能である。そして、各集積部１１０ａ〜ｅに集積されている紙幣の枚数が結束枚数に達した場合には、集積されている紙幣は全て移送部１１２に搬送される。なお、図１の例においては、紙幣整理装置１０内の下方に、５個の集積部１１０ａ〜ｅが縦一列に設けられているが、本実施形態においては、５個の集積部１１０に限定されるものではなく、集積部１１０は、紙幣整理装置１０内に少なくとも２個以上設けられればよいが、紙幣整理装置１０において取り扱う金種の種類よりも多い数設けられることが好ましい。
【００３２】
各集積部１１０ａ〜ｅには、集積された紙幣の容量を検知するための集積部用検知部１３２が設けられている。集積部用検知部１３２は、例えば光学式センサであることができ、集積部１１０に集積された紙幣によって光が遮られることにより集積された紙幣の容量を検知することができる。そして、集積部用検知部１３２は、取得した検知結果を制御部１２８に伝達する。制御部１２８は、制御部１２８へと検知結果を伝達した集積部用検知部１３２の設置位置により、どの集積部１１０に集積された紙幣の容量の検知結果であるかを認識することができ、さらに、集積部１１０における集積部用検知部１３２の設置高さにより、その高さにまで紙幣が集積されたこと、すなわち、集積された紙幣の容量を認識することができる。具体例としては、集積部用検知部１３２が予め定められた結束枚数（例えば１００枚）に対応する高さに設置されていれば、集積部用検知部１３２が集積された紙幣によって光が遮られていることを検知した場合には、制御部１２８は、集積部１１０ａ〜ｅ内に予め定められた結束枚数の紙幣が集積されていると認識することができる。また、結束枚数に達していないで光が遮られた場合は集積の異常と判断することができる。
【００３３】
さらに、各集積部１１０ａ〜ｅに集積される紙幣の金種は、後述する制御部１２８によって、なるべく紙幣整理装置１０における紙幣整理処理の処理時間が短くなるように、処理中にフレキシブルに割り当てられる。詳細には、鑑別部１０２によって紙幣整理装置１０への新たな金種の取込が認識された場合には、制御部１２８は、新たに認識された金種を、紙幣を集積していない空の集積部１１０に割当てる。この際、制御部１２８は、空の複数の集積部１１０のうち、なるべく紙幣結束部１１４に近い（図１においては、なるべく下方に位置する）集積部１１０に、当該金種を割当てる。先に説明したように、各集積部１１０ａ〜ｅに所定の枚数の紙幣が集積された場合には、集積された紙幣は、所定の結束枚数ごとに結束するために、集積部１１０の下方に位置する紙幣結束部１１４に、移送部１１２によって移送される（なお、紙幣結束部１１４及び移送部１１２については、後で詳細を説明する）。したがって、紙幣整理装置１０における処理時間をより短くするためには、移送部１１２が集積部１１０から紙幣結束部１１４まで移動する距離が短くなるほど好ましい。したがって、制御部１２８は、なるべく紙幣結束部１１４に近い集積部１１０から使用するように、金種を割り当てる。
【００３４】
具体的には、鑑別部１０２により紙幣整理装置１０への２千円札の取込が認識されない場合には、制御部１２８は、集積部１１０ａ〜ｅのいずれにも、２千円札を割り当てることはなく、鑑別部１０２によってはじめて２千円札の取込が認識された場合に、制御部１２８は、既に紙幣を集積していない空の集積部１１０ののうちの１つに対して２千円札を割当てる。
【００３５】
他の具体例として、制御部１２８が紙幣整理処理の開始時に一番上にある集積部１１０ａに１万円札を割当てた場合を説明する。この場合、処理が継続する中で、集積部１１０ａに複数の１万円札が集積され、集積部１１０ａに集積された１万円札が結束枚数に到達すると、これら１万円札は結束されるために移送部１１２によって抜き取られ、集積部１１０ａが空になる。その後、鑑別部１０２によって新たに１万円札の取込が認識されると、制御部１２８はその１万円札を集積するために集積部１１０のいずれかに１万円札を割当てることとなる。この際、制御部１２８は、例えば、集積部１１０ｄが空である場合には、集積部１１０ａではなく、より紙幣結束部１１４に近い集積部１１０ｄに対して１万円札を新たに割当てる。このように、制御部１２８は、各集積部１１０ａ〜ｅに対して、それぞれに集積される紙幣の金種を、なるべく紙幣整理装置１０における紙幣整理処理の処理時間が短くなるように、処理中にフレキシブルに割り当てる。
【００３６】
また、制御部１２８は、処理時間を短くするだけでなく、記憶部１２４に記録された各集積部１１０ａ〜ｅの使用頻度をも参照して、処理時間を短くしつつ、なるべく均等に各集積部１１０ａ〜ｅが使用されるように、金種を割当ててもよい。
【００３７】
（移送部１１２）
移送部１１２は、各集積部１１０ａ〜ｅから搬送された結束枚数の紙幣を紙幣結束部１１４へ移送する部位である。図１においては簡略化して示しているが、移送部１１２は、紙幣整理装置１０内に設けられ、紙幣整理装置１０の内部を図１の上下方向に集積部１１０ａ〜１１０ｅと紙幣結束部１１４との間を移動し、各集積部１１０ａ〜ｅから所定枚数（例えば、１００枚）の紙幣を、クランプ部１１２ａを用いてクランプして抜き取り、紙幣結束部１１４に受け渡す。
【００３８】
（紙幣結束部１１４）
紙幣結束部１１４は、紙幣整理装置１０内に設けられ、移送部１１２から移送された所定の結束枚数の紙幣に対して例えばテープを巻き付けて結束することにより、紙幣束を作成する。詳細には、図２の紙幣結束部１１４の拡大断面図に示すように、紙幣結束部１１４は、紙幣束Ｂを紙幣結束部１１４から、操作者側（図１及び図２中左側）に位置する放出口（図示省略）へ搬送するための紙幣束搬送部１３０と、紙幣束Ｂを結束するテープＴを供給するテープ供給部１４０と、テープＴを切断する切断部１４２と、テープＴで紙幣を結束する結束機構１４４と、テープＴに印字する印字部１４６とを有する。なお、図２においては、テープＴは帯状に示されている。
【００３９】
詳細には、紙幣束搬送部１３０は、紙幣束Ｂを挟み込んで、紙幣束Ｂを放出口（図示省略）へ、すなわち操作者の側へ搬送するような搬送路１３１と、回転することによって搬送路１３１を搬送方向（図２中では矢印で示されている）へ動かすローラ１４８と、ローラ１４８を回転させるモータ（図示省略）とを主に有する。また、紙幣束搬送部１３０は、移送部１１２から所定枚数（例えば、１００枚）の紙幣を、搬送路１３１の放出口とは反対側（図２においては、搬送路１３１の右端部）で受けとり、搬送路１３１の中央部にある結束機構１４４が位置する箇所までこれらの紙幣を一括して搬送する。搬送路１３１の中央部においては、テープ供給部１４０は結束機構１４４にテープＴを供給し、結束機構１４４はこれらの紙幣を一括してテープＴで結束して、紙幣束Ｂを作成する。その際、印字部１４６はテープＴにこれら紙幣に関する情報を印字する。並びに、供給されたテープＴは切断部１４２により所定の長さに切断される。
【００４０】
（搬送部１１６）
搬送部１１６は、紙幣を各集積部１１０等の搬送先へ搬送する。詳細には、搬送部１１６は、図１中では帯状に示され、取込部１００から、鑑別部１０２及び表裏反転部１０８を貫き、集積部１１０ａ〜ｅ等まで連続して設けられ、紙幣が搬送される搬送路（図示省略）と、複数のローラ（図示省略）と、紙幣を案内する複数の切替部（図示省略）とを有する。各ローラは、搬送路を挟んで対向するように配置され、制御部１２８により制御され各ローラが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００４１】
なお、搬送部１１６は、鑑別部１０２と各集積部１１０ａ〜ｅの間に設けられ、搬送部１１６が各集積部１１０ａ〜ｅへ分岐する分岐点Ａ（図１中Ａで示される）を有する。さらに、搬送部１１６は、取込部１００から鑑別部１０２内を貫く第１の領域１１６ａと、鑑別部１０２の排出口１０２ａからオープンポケット１０６、リジェクトポケット１０４のそれぞれまで連続する第２の領域１１６ｂと、鑑別部１０２の排出口１０２ａから搬送部１１６が各集積部１１０ａ〜ｅへと分岐する分岐点Ａまでの第３の領域(第１の搬送部)１１６ｃと、分岐点Ａから各集積部１１０ａ〜ｅまで連続する第４の領域（第２の搬送部）１１６ｄとを有する。
【００４２】
（検知部１１８）
検知部１１８は、図１中では向かい合う一対の三角形で示され、紙幣整理装置１０内の搬送部１１６の各所に複数設けられている。搬送部１１６における、詳細には、搬送部１１６の第３の領域（第１の搬送部）１１６ｃと第４の領域（第２の搬送部）１１６ｄにおける、紙幣の搬送状態を検知し、得られた検知結果を制御部１２８に伝達する。制御部１２８は、検知結果と、制御部１２８へと検知結果を伝達した検知部１１８の設置位置とにより、搬送異常およびそれが生じた位置を認識することができる。なお、検知部１１８としては、紙幣により光が遮られることにより搬送状態を検知する受発光センサからなる光学式センサ等を用いることができる。また、検知部１１８は、図１に示す数や位置に限定されるものではなく、適宜、紙幣整理装置１０内に設けられていればよい。
【００４３】
具体的には、検知部１１８が受発光センサである場合には、検知部１１８は、光を発する発光センサと、発光センサからの光を受光する受光センサとで構成され、これら受発光センサによって搬送中の紙幣の紙幣面を上下から挟み込むように搬送部１１６の各所に設けられる。このような受発光センサにより構成される検知部１１８は、検知部１１８の受発光センサの間を通過する紙幣により、発光センサからの光が遮られ、受光センサによって光が受光できない状態になることによって、紙幣の搬送状態を検知することができる。また、制御部１２８は、検知部１１８の検知結果に基づいて、光が遮られている時間、すなわち、搬送中の紙幣を検知している検知時間を計測することができる。さらに、制御部１２８は、搬送部１１６を制御することにより、検知部１１８の受発光センサの間を通過する紙幣の搬送速度を認識しており、検知部１１８による理論上の検知時間（１枚の紙幣を検知する時間、すなわち、１枚の紙幣が検知部１１８の受発光センサの間を通過する時間）を算出することができる。したがって、制御部１２８は、検知部１１８の実際の検知時間と理論上の検知時間とを比較し、実際の検知時間が理論上の検知時間よりも長くなった場合に、例えば２枚の紙幣同士が重ねっているような搬送異常を検知することができる。
【００４４】
また、紙幣整理装置１０においては、取込部１００において一定時間ごとに１枚の紙幣を取り込むことにより、搬送中の紙幣と紙幣との間隔を適正な距離に保っている。したがって、制御部１２８は、先に説明したように検知部１１８の受発光センサの間を通過する紙幣の搬送速度を認識しているため、検知部１１８による先の紙幣の検知の終了から次の紙幣の検知の開始までの理論上の検知インターバル時間を算出することができる。そして、制御部１２８は、検知部１１８によって実際に得られた検知インターバル実測時間と、理論上の検知インターバル時間とを比較し、実際の検知インターバル時間が理論上の検知インターバル時間よりも短い場合に、例えば２つの紙幣が異常に近接しているような搬送異常を検知することができる。
【００４５】
さらに、検知部１１８は、発光センサと受光センサとの一対で構成される検知部１１８を２つ組わせて用いることができる。具体的には、組み合わされた２つの検知部１１８は、一方の検知部１１８と他方の検知部１１８とで搬送中の紙幣の紙幣面と平行な面内において紙幣を両側から挟み込むように、搬送部１１６の両サイドに設けられる。すなわち、２つの検知部１１８は、各検知部１１８が搬送中の紙幣の紙幣面と平行な面内において搬送部１１６の延びる向きに対して垂直な方向に沿って紙幣を挟み込むように、設置される。このように設置された組み合わされた２つの検知部１１８においては、長方形状の紙幣が搬送部１１６の延びる方向に沿った正しい方向を向いた状態（すなわち、紙幣の長辺の向きが搬送部１１６の延びる方向と同じ状態）で搬送されていれば、当該紙幣によって同じ検知時間を得ることができる。一方、スキュー、すなわち、紙幣が上記正しい方向から斜めに傾いた方向を向いた状態（すなわち、紙幣の長辺の向きが搬送部１１６の延びる方向に対して斜めに傾いた状態）で搬送されていれば、この紙幣によって光が遮られる時間は、紙幣が傾いて搬送されていることから、搬送部１１６の両サイドで異なる。したがって、組み合わされた２つの検知部１１８においては、この紙幣によって異なる検知時間を得ることとなる。よって、制御部１２８は、搬送部１１６の両サイドに設けられた２つの検知部１１８が異なる検知時間を得たことにより、スキュー紙幣のような搬送異常を検知することができる。
【００４６】
なお、本実施形態においては、検知部１１８の形態は、上述の形態に限定されるものではなく、紙幣の搬送状態もしく搬送異常が検知できれば、他の形態であってもよい。
【００４７】
（操作表示部１２０）
操作表示部１２０は、本実施形態における表示部の一例である。操作表示部１２０は、図１においては、紙幣整理装置１０の上に位置し、操作者と向かい合う。さらに、操作表示部１２０は、紙幣整理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１２０は、後述する制御部１２８の制御に従って、各種の操作画面、計数結果やエラーメッセージなどを表示し、操作者による紙幣整理装置１０に対する各種の入力操作を受け付け、制御部１２８に伝達する。なお、操作表示部１２０の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよく、さらに、操作機能及び表示機能を有する各部位又は単一の部位が紙幣整理装置１０の外部に位置していてもよい。
【００４８】
（操作部１２２）
操作部１２２は、本実施形態における操作部の一例である。操作部１２２は、図１においては、紙幣整理装置１０の上に位置する。操作部１２２には、例えば、操作者によって紙幣の計数を紙幣整理装置１０へ指示する機械式ボタン（図示省略）、操作者によって紙幣処理の完了を指示する機械式ボタン（図示省略）、紙幣整理装置１０に障害が生じた場合に紙幣整理装置１０を再稼働させる機械式のリセットボタン（図示省略）等を含むことができる。また、操作部１２２には、紙幣整理装置１０の処理状態を示すランプ（図示省略）が取り付けられており、例えば、このランプは、処理中には緑色に発光し、障害が発生した場合には赤色に発光することができる。なお、これらの操作部１２２の機能は、操作表示部１２０によって実現してもよい。
【００４９】
（記憶部１２４）
記憶部１２４は、例えば紙幣整理装置１０内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部１２４は、例えば、制御部１２８が使用する制御プログラム、制御部１２８が用いる各種情報や鑑別部１０２による鑑別の際に用いられる情報が格納されるほか、鑑別部１０２による鑑別結果、計数結果および鑑別された紙幣に関する処理状況が対応づけて記憶される。さらに、具体的には、記憶部１２４に記憶される鑑別結果としては、紙幣の種別（金種）、紙幣の正損、紙幣の表裏、搬送先等が挙げられる。ここで、表裏とは、鑑別時における該当の紙幣の表裏の向きのことであり、搬送先とは、該当の紙幣が搬送される格納先のことである。なお、記憶部１２４は、紙幣整理装置１０の外部に設けられ、紙幣整理装置１０と通信ネットワークで接続されていてもよい。
【００５０】
（外部インターフェース部１２６）
外部インターフェース部１２６は、例えば紙幣整理装置１０内に設けられ、例えば通信ネットワークを介して外部装置との間で通信を行う通信インターフェースである。具体的には、外部インターフェース部１２６は、外部装置からの指示を受け取ったり、外部装置へ情報を通信したりすることができる。なお、外部インターフェース部１２６は、紙幣整理装置１０の外部に設けられ、紙幣整理装置１０と通信ネットワークで接続されていてもよい。
【００５１】
（制御部１２８）
制御部１２８は、例えば紙幣整理装置１０内に設けられ、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。詳細には、図３に示す、紙幣整理装置１０における制御系のブロック図にように、制御部１２８は、操作表示部１２０からの入力や外部インターフェース部１２６が受け入れた外部装置（例えば、制御端末）からの情報に基づいて、記憶部１２４から所定のプログラムを読み出して実行することにより、操作表示部１２０、鑑別部１０２等の紙幣整理装置１０の各所を制御することができる。また、制御部１２８は、計数の完了を検知したり、各集積部１１０に集積する紙幣の金種を割当てたり、鑑別部１０２による紙幣の鑑別結果に基づいて、もしくは、検知部１１８の検知結果に基づいて、紙幣の搬送先を決定したりすることができる。なお、制御部１２８は、紙幣整理装置１０の外部に設けられ、紙幣整理装置１０と通信ネットワークで接続されていてもよい。
【００５２】
＜第１の実施形態＞
以下に説明する第１の実施形態は、上述の紙幣整理装置１０において搬送異常が生じた場合には、紙幣整理処理の停止を避け、搬送異常にかかる紙幣を集積部１１０ａ〜ｅに集積する。その際、制御部１２８は、鑑別部１０２による鑑別結果が予め結束対象と定められている鑑別種別に該当する紙幣を種別ごとに集積するための集積部１１０ａ〜ｅのうちの１つを、搬送異常にかかる異常紙幣を集積するための異常紙幣集積部（異常媒体集積部）として特定する。このようにすることで、紙幣整理処理の停止を避け搬送異常にかかる異常紙幣を集積部１１０に集積することで、紙幣整理処理の最中における操作者による復旧作業の実施を避けることができる。よって、紙幣整理装置１０における処理効率を向上させることができる。
【００５３】
まず、紙幣整理装置１０を用いた第１の実施形態にかかる紙幣整理処理方法について、図４を参照して説明する。図４は、本実施形態に係る紙幣整理処理方法のフローチャート図である。図４のフローチャート図には、ステップＳ１０１からステップＳ１１３が含まれる。
【００５４】
まず、操作者が操作表示部１２０又は操作部１２２に対して操作を行うことにより、紙幣整理装置１０における紙幣整理処理の開始が指示された場合には、紙幣整理装置１０は、紙幣整理処理を開始し、検知部１１８は、搬送部１１６において搬送異常を検出するための監視を開始する。次いで、ステップＳ１０１へ進む。
【００５５】
（ステップＳ１０１）
制御部１２８が、搬送異常を検知したか否かを判断する。制御部１２８が、検知部１１８の検知結果に基づいて、鑑別部１０２の排出口１０２ａから分岐点Ａまでの搬送部１１６の第３の領域（第１の搬送部）１１６ｃにおける搬送異常を検知した場合には、ステップＳ１０３へ進む。一方、制御部１２８が、検知部１１８の検知結果に基づいて第３の領域１１６ｃにおける搬送異常を検知しない場合には、ステップＳ１１１へ進む。
【００５６】
（ステップＳ１０３）
制御部１２８は、記憶部１２４に記憶された情報を参照して、既に集積部１１０ａ〜ｅのいずれかが異常紙幣集積部として特定されているかを判断する。複数の集積部１１０ａ〜ｅのいずれも異常紙幣集積部が特定されていない場合には、Ｓ１０５へ進む。既に異常紙幣集積部が特定されている場合には、ステップＳ１０９へ進む。
【００５７】
（ステップＳ１０５）
制御部１２８は、記憶部１２４に記憶された情報を参照して、紙幣を集積していない集積部１１０があるかどうかを判定する。紙幣を集積していない集積部１１０があれば、ステップＳ１０７へ進む。一方、紙幣を集積していない集積部１１０がなければ、ステップＳ１１３へ進む。
【００５８】
（ステップＳ１０７）
制御部１２８は、集積部１１０ａ〜ｅのうち紙幣を集積していない集積部１１０を異常紙幣集積部として特定する。この異常紙幣集積部とは、そこに集積する紙幣の種別として搬送異常にかかる異常紙幣が割当てられた集積部１１０のことをいう。当該集積部１１０は、搬送異常が検知されなければ、そこに集積する紙幣の種別として搬送異常が検知されない正常紙幣が割当てられ、正常紙幣集積部（正常媒体集積部）として特定される集積部である。
【００５９】
なお、この際、紙幣を集積していない集積部１１０が複数個存在する場合には、制御部１２８は、なるべく紙幣結束部１１４に遠い（図１においては、なるべく上方に位置する）集積部１１０を異常紙幣集積部として特定することが好ましい。異常紙幣集積部に集積された異常紙幣は、搬送異常にかかる異常紙幣であるため、集積後に紙幣束として結束されることはない。したがって、集積部１１０の下方に位置する紙幣結束部１１４に移送されることはないため、異常紙幣集積部は、紙幣結束部１１４から遠くてもよい。それに対して、搬送異常が検知されなかった正常紙幣は、同じ金種の所定の枚数の紙幣と共に結束されることとなるため、集積部１１０の下方に位置する紙幣結束部１１４に移送されることとなる。よって、正常紙幣は、なるべく紙幣結束部１１４に近い（図１においては、なるべく下方に位置する）集積部１１０に集積されることが好ましい。このようなことから、なるべく下方の集積部１１０を、正常紙幣を集積する正常紙幣集積部として使用するために、なるべく上方の集積部１１０を異常紙幣集積部として特定することが好ましい。なお、ここで説明する例においては、異常紙幣集積部として集積部１１０ｂが特定されたものとして説明する。
【００６０】
この際、制御部１２８は、操作表示部１２０に対して、特定した異常紙幣集積部を明示するように指示する。図５に、操作表示部１２０に示される表示画面の一例を示す。図５の表示画面２０は、操作者に対して、集積部１１０ｂが異常紙幣集積部として特定されたことを明示する。また、表示画面２０は、各集積部１１０ａ、ｃ〜ｅに割当てられた金種、及びそれらに集積された枚数、集積部１１０ａ、ｃ〜ｅに集積された紙幣の合計金額の表示や、処理中である旨を操作者に通知する表示を含むことができる。なお、本実施形態においては、表示画面２０は、図５に示される画面に限定されることはなく、例えば、表示内容を操作者が確認したことを紙幣整理装置１０へ通知するための確認選択ボタン等を含んでもよい。また、制御部１２８は、異常紙幣集積部として特定された集積部１１０ｂに関する情報を、記憶部１２４に記録する。次いで、ステップＳ１０９へ進む。
【００６１】
（ステップＳ１０９）
制御部１２８は、搬送部１１６等を制御して、搬送異常にかかる異常紙幣を、特定された異常紙幣集積部１１０ｂへ搬送する。次いで、ステップＳ１１１へ進む。なお、ステップＳ１０３で既に異常紙幣集積部が特定されていると判断された場合には、このステップＳ１０９においては、異常紙幣を既に特定された異常紙幣集積部へ搬送する。このように、本実施形態によれば、紙幣整理処理の停止を避け搬送異常にかかる異常紙幣を集積部１１０に集積することで、紙幣整理処理の最中における操作者による復旧作業の実施を避けることができる。
【００６２】
（ステップＳ１１１）
制御部１２８は、記憶部１２４に記憶された情報を参照して、取込部１００に取り込まれた全ての紙幣に対して紙幣整理処理は終わったかを判定する。取り込まれた全ての紙幣に対して紙幣整理処理は終わっていれば、紙幣整理処理を終了する。取り込まれた全ての紙幣に対して紙幣整理処理は終わっていなければ、ステップＳ１０１へ戻る。
【００６３】
（ステップＳ１１３）
制御部１２８は、搬送部１１６等を制御して紙幣の搬送を停止させ、紙幣整理処理を停止する。この際、制御部１２８は、操作表示部１２０に対して、搬送異常が発生したことと、紙幣整理処理の停止とを表示するように指示する。図６に、操作表示部１２０に示される表示画面の一例を示す。図６の表示画面３０は、操作者に対して、搬送異常が発生したことと、処理の停止とを通知する。なお、本実施形態においては、表示画面３０は、図６に示される画面に限定されることはなく、例えば、表示内容を操作者が確認したことを紙幣整理装置１０へ通知するための確認選択ボタン等を含んでもよい。
【００６４】
そして、第１の実施形態においては、このように、取り込まれた全ての紙幣に対して紙幣整理処理が終わるまで、ステップＳ１０１からステップＳ１１３を繰り返す。
【００６５】
なお、第１の実施形態において、異常紙幣集積部１１０ｂが特定された後においては、搬送異常が検知されない正常紙幣は、複数の集積部１１０ａ〜ｅのうち異常紙幣集積部１１０ｂ以外の集積部１１０に集積される。
【００６６】
さらに、搬送異常紙幣集積部として特定された集積部１１０ｂに集積された搬送異常にかかる異常紙幣は、紙幣整理処理の終了後、すなわち、紙幣整理装置１０による紙幣の計数の結果確定後、操作者によって搬送異常紙幣集積部から抜き取られる。そして、この異常紙幣は、再度、紙幣整理装置１０へ投入されて、紙幣整理処理されることができる。
【００６７】
ところで、従来の紙幣整理装置は、先に説明したように、誤集積を未然に防ぐために、搬送異常が発生すると紙幣整理処理を停止する。そして、操作者は、紙幣整理装置を開けて搬送異常の原因となった異常紙幣を搬送部から取り除いて、搬送異常を解消する。この際、従来の紙幣整理装置は、紙幣整理装置が開けられたことにより、紙幣整理装置内の集積部に集積された鑑別、計数後の紙幣の数を不定（不確定）と認識する。紙幣整理装置が開けられることにより、操作者によって内部の集積部から紙幣を抜き取ることが可能であり、それによって、一度計数された紙幣の数が変わってしまう恐れがある。そこで、従来の紙幣整理装置においては、紙幣整理装置が開けられたことを合図に、紙幣整理処理中であったにもかかわらず、集積部に集積された、鑑別、計数後の紙幣の数を不定と認識する。したがって、搬送異常によって停止した紙幣整理装置において、紙幣の数を確定させるためには、操作者は、搬送異常の原因となった異常紙幣を取り除くだけでなく、集積部に集積された全ての紙幣を取り出して再度紙幣整理装置へ投入して、計数することとなる。すなわち、従来の紙幣整理装置においては、搬送異常が発生すると、紙幣整理処理が停止し、操作者が以上のような一連の復旧作業を行うこととなるため、時間と手間がかかり、そのため、紙幣整理装置における処理効率は低下することとなる。さらに、従来の紙幣整理装置においては、搬送異常に起因して紙幣整理装置が開けられたことを合図に、集積部に集積された紙幣の数が不定となるため、紙幣整理処理中であっても、搬送異常が発生するたびに、操作者は、集積部の全て紙幣を、回収し、再度計数するために投入することとなり、処理効率は低下することとなる。
【００６８】
それに対して、本実施形態においては、搬送部１１６の第３の領域１１６ｃにおいて搬送異常が生じた場合には、紙幣整理処理を停止させることを避け、搬送異常にかかる異常紙幣を、異常紙幣集積部へ搬送する。このように、本実施形態によれば、第３の領域１１６ｃにおいて搬送異常が生じた場合であっても、紙幣整理処理の停止を避け搬送異常にかかる異常紙幣を集積部１１０に集積することで、紙幣整理処理の最中における操作者による復旧作業の実施を避けることができる。したがって、紙幣整理装置１０における処理効率を向上させることができる。さらに、紙幣整理処理の最中に紙幣を取り除くために操作者によって紙幣整理処理中に紙幣整理装置１０を開けることがないため、紙幣整理処理中に、集積部１１０に集積された紙幣の数が不定となることを避けることができる。その結果、一度紙幣整理処理が完了するまでは、操作者は、集積部の全て紙幣を、回収し、再度計数するために投入することはなく、紙幣整理処理の完了までの間に何度も集積部１１０全ての紙幣から回収し、投入することを繰り返すことを避けることができることから、紙幣整理装置１０における処理効率を向上させることができる。
【００６９】
また、本実施形態においては、制御部１２８は、鑑別部１０２による鑑別結果が予め結束対象と定められている鑑別種別に該当する紙幣を種別ごとに集積するための集積部１１０ａ〜ｅのうち、紙幣を集積していない集積部１１０を、搬送異常にかかる異常紙幣を集積するための異常紙幣集積部として特定する。このようにすることで、本実施形態は、特別な集積部を新たに設けることもなく、容易に実施することが可能である。
【００７０】
なお、本実施形態は、ステップＳ１０１において、制御部１２８が、鑑別部１０２の排出口１０２ａから分岐点Ａまでの搬送部１１６の第３の領域（第１の搬送部）１１６ｃにおける搬送異常を検知した場合の処理として説明した。しかしながら、搬送異常が検知される領域は、鑑別部１０２の排出口１０２ａから分岐点Ａまでの領域に限定されるものではない。例えば、搬送部１１６が、搬送部１１６が排出口１０２ａから２つめのオープンポケット１０６へと向かう部分と、搬送部１１６が排出口１０２ａから各集積部１１０ａ〜ｅへと向かう部分とが分岐する分岐点Ｃ（図１においてＣで示される地点）を含む場合、ステップＳ１０１においては、制御部１２８が、分岐点Ｃから分岐点Ａまでの搬送部１１６の領域における搬送異常を検知した場合に、上述の処理を行ってもよい。このような場合、鑑別部１０２の排出口１０２ａから最初の検知部１１８ａの検知結果に基づいて、搬送異常が検知された際、すなわち、制御部１２８が、鑑別部１０２の排出口１０２ａから分岐点Ｃまでの領域における搬送異常を検知した場合には、当該搬送異常にかかる異常紙幣は、リジェクトポケット１０４やオープンポケット１０６へ集積されてもよい。
【００７１】
＜変形例＞
これまで説明した第１の実施形態においては、制御部１２８は、ステップＳ１１３において、紙幣を集積していない集積部１１０がなければ、異常紙幣集積部を特定せず、紙幣整理処理を停止させていた。それに対して、第１の実施形態の変形例は、制御部１２８は、紙幣を集積していない集積部１１０がなければ、既に正常紙幣を集積している集積部１１０を異常紙幣集積部として特定する。このようにすることで、紙幣整理処理を停止させることを避け、処理効率をより向上させることができる。
【００７２】
次に、上述の紙幣整理装置１０を用いた本変形例にかかる紙幣整理処理方法について、図７を参照して説明する。図７は、本変形例に係る紙幣整理処理方法のフローチャート図である。図７のフローチャート図には、ステップＳ２０１からステップＳ２１３が含まれる。なお、ステップＳ２０１からステップＳ２１１までは、図４に示される第１の実施形態のステップＳ１０１からステップＳ１１１と共通するため、ここでは、これらの共通するステップの説明については省略する。
【００７３】
（ステップＳ２１３）
制御部１２８は、既に正常紙幣を集積している集積部１１０ａ〜ｅを異常紙幣集積部として特定する。この際、第１の実施形態と同様に、なるべく紙幣結束部１１４に遠い（図１においては、なるべく上方に位置する）集積部１１０を、異常紙幣集積部として特定する。さらに、制御部１２８は、特定した異常紙幣集積部に既に集積された正常紙幣にかかる金種を、特定した異常紙幣集積部以外の集積部１１０に割当てる。なお、ここで説明する例においては、異常紙幣集積部として集積部１１０ａが特定され、集積部１１０ａに既に集積されていた正常紙幣の金種であった２千円札は、集積部１１０ｂに割当てられたものとして説明する。
【００７４】
この際、制御部１２８は、操作表示部１２０に対して、異常紙幣集積部を明示するように指示する。図８に、操作表示部１２０に示される表示画面の一例を示す。図８の表示画面４０は、操作者に対して、既に正常紙幣として２千円札を集積していた集積部１１０ａ（図５参照）が異常紙幣集積部として特定され、集積部１１０ａに既に集積されていた正常紙幣の金種であった２千円札は、集積部１１０ｂに割当てられたことを示す。また、表示画面４０は、集積部１１０ａが異常紙幣集積部として特定されたことを示す表示のみを含んでもよいし、もしくは、第１の実施形態の表示画面２０と同様に、各集積部１１０ｂ〜ｅに割当てられた金種、及び集積された枚数の表示等を含んでもよい。なお、本実施形態においては、表示画面４０は、図８に示される画面に限定されることはなく、例えば、表示内容を操作者が確認したことを紙幣整理装置１０へ通知するための確認選択ボタン等を含んでもよい。また、制御部１２８は、異常紙幣集積部として特定された集積部１１０ａに関する情報を、記憶部１２４に記録する。次いで、ステップＳ２０９へ進む。
【００７５】
なお、搬送異常紙幣集積部として特定された集積部１１０ａに既に集積されていた正常紙幣（２千円札）は、搬送異常紙幣集積部の特定後、搬送異常にかかる異常紙幣と同様に取り扱われることとなり、紙幣整理処理の終了後、すなわち、紙幣整理装置１０による紙幣の計数の結果確定後、操作者によって搬送異常紙幣集積部から抜き取られる。そして、抜き取られた正常紙幣及び異常紙幣は、再度、紙幣整理装置１０へ投入されて、紙幣整理処理されることができる。
【００７６】
このように、本変形例によれば、制御部１２８は、紙幣を集積していない集積部１１０がなければ、既に正常紙幣を集積している集積部１１０を搬送異常紙幣集積部として特定する。このようにすることで、紙幣整理処理を停止させることを避けることができ、紙幣整理装置１０における処理効率をより向上させることができる。
【００７７】
＜第２の実施形態＞
上述の第１の実施形態においては、鑑別部１０２の排出口１０２ａから分岐点Ａまでの搬送部１１６の第３の領域１１６ｃにおいて搬送異常が生じた場合においての紙幣整理処理を説明した。それに対して、次に説明する第２の実施形態は、分岐点Ａから各集積部１１０ａ〜ｅにつながる搬送部１１６の第４の領域１１６ｄにおいて搬送異常が生じた場合、もしくは、各集積部１１０ａ〜ｅのいずれかにおいて集積異常が生じた場合においての紙幣整理処理である。第２の実施形態においては、制御部１２８は、検知部１１８の検知結果に基づいて第４の領域１１６ｄにおける搬送異常を検知した場合には、紙幣整理処理を停止させることなく、当該搬送異常が発生した第４の領域１１６ｄに接続する集積部１１０を異常紙幣集積部として特定し、異常搬送にかかる異常紙幣を、異常紙幣集積部に集積する。もしくは、制御部１２８は、集積部用検知部１３２の検知結果に基づいて集積部１１０での集積異常を検知した場合には、紙幣整理処理を停止させることなく、集積異常にかかる集積部１１０を異常紙幣集積部として特定する。このようにすることで、本実施形態によれば、第１の実施形態と同様に、搬送異常もしくは集積異常が生じた場合であっても、紙幣整理装置１０における紙幣整理処理を停止させることを避け、処理効率をより向上させることができる。
【００７８】
以下に説明する第２の実施形態においては、搬送異常とは、第１の実施形態と同様に、検知部１１８が検知する搬送異常とは、搬送中において紙幣同士が重なったり、紙幣同士が異常に近接したりすること、及び、スキュー（斜行）のことをいう。
【００７９】
また、以下に説明する第２の実施形態においては、集積異常とは、各集積部１１０ａ〜ｅに設置された集積部用検知部１３２により検知された検知結果に基づいて、制御部１２８により認識された集積部１１０ａ〜ｅに集積された紙幣の容量と、制御部１２８によって計数された各集積部１１０ａ〜ｅに集積された紙幣の数とが一致していない状態をいう。例えば、制御部１２８が、集積部用検知部１３２の検知結果に基づいて集積部１１０に集積された紙幣の容量が１００枚であると認識しているにも関わらず、制御部１２８によって計数された同じ集積部１１０に集積された枚数が１０枚であり、枚数が一致しない状態を挙げることができる。このような状態は、例えば、集積部１１０に折れ曲がって紙幣が集積されることにより生じ得る。制御部１２８は、計数した集積部１１０に集積された紙幣の枚数と、集積部用検知部１３２の検知結果とを比較することによって、上述の集積異常を検知することができる。
【００８０】
次に、上述の紙幣整理装置１０を用いた第２の実施形態にかかる紙幣整理処理方法について、図９を参照して説明する。図９は、本実施形態に係る紙幣整理処理方法のフローチャート図である。図９のフローチャート図には、ステップＳ３０１からステップＳ３１３が含まれる。
【００８１】
まず、操作者が操作表示部１２０又は操作部１２２に対して操作を行うことにより、紙幣整理装置１０における紙幣整理処理の開始が指示された場合には、紙幣整理装置１０は、紙幣整理処理を開始する。紙幣整理処理が開始されると、検知部１１８は、搬送部１１６において搬送異常を検出するための監視を開始する。次いで、ステップＳ３０１へ進む。
【００８２】
（ステップＳ３０１）
制御部１２８が、搬送異常または集積異常を検知したか否かを判断する。制御部１２８は、検知部１１８の検知結果に基づいて分岐点Ａから各集積部１１０ａ〜ｅまでの搬送部１１６の第４の領域１１６ｄにおける搬送異常が検知された場合、もしくは、集積部用検知部１３２の検知結果に基づいて集積部１１０での集積異常を検知した場合には、ステップＳ３０３へ進む。一方、制御部１２８が、検知部１１８の検知結果に基づいて第４の領域１１６ｄにおける搬送異常を検知しない場合、及び、集積部用検知部１３２の検知結果に基づいて集積部１１０での集積異常を検知しない場合には、ステップＳ３１３へ進む。
【００８３】
（ステップＳ３０３）
制御部１２８は、ステップＳ３０１にて搬送異常が検出されたか否かを判定する。搬送異常が検知されていればステップＳ３０５へ進む。搬送異常ではなく、集積異常が検知されていればステップＳ３０９へ進む。
【００８４】
（ステップＳ３０５）
制御部１２８は、搬送異常が検知された搬送部１１６の領域に対応する集積部１１０、すなわち、搬送異常が検知された搬送部１１６の第４の領域１１６ｄに接続された集積部１１０を、異常紙幣集積部として特定する。なお、第２の実施形態においては、既に正常紙幣を集積していても、正常紙幣を集積する集積部１１０を異常紙幣集積部として特定することができる。また、ここで説明する例においては、紙幣整理処理において、既に異常紙幣集積部として集積部１１０ａが特定されており、さらに、ステップＳ３０１において新たに第４の領域１１６ｄにおける搬送異常が検知されたことにより、当該搬送異常が検知された第４の領域１１６ｄに接続された集積部１１０ｂを異常紙幣集積部として特定したものとして説明する。
【００８５】
この際、制御部１２８は、操作表示部１２０に対して、異常紙幣集積部を明示するように指示する。図１０に、操作表示部１２０に示される表示画面の一例を示す。図１０の表示画面５０は、操作者に対して、既に集積部１１０ａが異常紙幣集積部として特定されており、新たに、搬送部１１６の第４の領域１１６ｄにおける搬送異常が検知されたことにより、第４の領域１１６ｄに接続された集積部１１０ｂを異常紙幣集積部として特定したことを示す。また、表示画面５０は、各集積部１１０ｃ〜ｅに割当てられた金種の表示等を含むことができる。なお、本実施形態においては、表示画面５０は、図１０に示される画面に限定されることはなく、例えば、表示内容を操作者が確認したことを紙幣整理装置１０へ通知するための確認選択ボタン等を含んでもよい。また、制御部１２８は、新たに異常紙幣集積部として特定された集積部１１０ｂに関する情報を、記憶部１２４に記録する。次いで、ステップＳ３０７へ進む。
【００８６】
（ステップＳ３０７）
制御部１２８は、搬送部１１６等を制御して、搬送異常にかかる異常紙幣を、ステップＳ３０５において特定された異常紙幣集積部１１０ｂへ搬送する。次いで、ステップＳ３１１へ進む。このように、本実施形態によれば、紙幣整理処理の停止を避け搬送異常にかかる異常紙幣を集積部１１０ｂに集積することで、紙幣整理処理の最中における操作者による復旧作業の実施を避けることができる。
【００８７】
（ステップＳ３０９）
制御部１２８は、集積異常にかかる、すなわち、集積異常が検知された集積部１１０を異常紙幣集積部として特定する。なお、ステップＳ３０９においても、ステップＳ３０５と同様に、既に正常紙幣を集積していても、正常紙幣を集積する集積部１１０を異常紙幣集積部として特定することができる。この際、制御部１２８は、ステップＳ３０５と同様に、操作表示部１２０に対して、例えば図１０の表示画面５０のように、異常紙幣集積部を明示するように指示する。また、制御部１２８は、新たに異常紙幣集積部として特定された集積部１１０に関する情報を、記憶部１２４に記録する。次いで、ステップＳ３１１へ進む。このように、本実施形態によれば、集積異常が検知された場合であっても、紙幣整理処理の停止を避け、集積異常にかかる集積部１１０を異常紙幣集積部として特定することにより、操作者による復旧作業の実施を避け、紙幣整理装置１０における処理効率を向上させることができる。
【００８８】
（ステップＳ３１１）
制御部１２８は、ステップＳ３０５又はステップＳ３０９で異常紙幣集積部として特定された集積部１１０ｂに既に集積されていた正常紙幣の金種、もしくは、既に異常紙幣集積部に特定される前に当該集積部１１０ｂに割当てられていた金種を、異常紙幣集積部以外の集積部１１０に割当てる。次いで、ステップＳ３１３へ進む。
【００８９】
（ステップＳ３１３）
制御部１２８は、記憶部１２４に記憶された情報を参照して、第１の実施形態のステップＳ１１１（図４参照）と同様に、取込部１００に取り込まれた全ての紙幣に対して整理処理は終わったかを判定する。取り込まれた全ての紙幣に対して紙幣整理処理は終わっていれば、紙幣整理処理を終了する。取り込まれた全ての紙幣に対して紙幣整理処理は終わっていなければ、ステップＳ３０１へ戻る。そして、取り込まれた全ての紙幣に対して整理処理が終わるまで、ステップＳ３０１からステップＳ３１３を繰り返す。
【００９０】
なお、搬送異常紙幣集積部として特定された集積部１１０ａ及び１１０ｂに既に集積されていた正常な紙幣、及び、これらの集積部１１０ａ及び１１０ｂに集積された搬送異常又は集積異常にかかる紙幣は、紙幣整理処理の終了後、操作者によって搬送異常紙幣集積部から抜き取られ、再度、紙幣整理装置１０へ投入されて、紙幣整理処理されることができる。
【００９１】
本実施形態においては、制御部１２８は、搬送部１１６の第４の領域１１６ｄにおける搬送異常を検知した場合には、紙幣整理処理を途中で停止させることなく、当該搬送異常が発生した第４の領域１１６ｄに接続する集積部１１０を異常紙幣集積部として特定し、搬送異常にかかる異常紙幣を異常紙幣集積部へ集積する。もしくは、制御部１２８は、集積部用検知部１３２の検知結果に基づいて集積部１１０での集積異常を検知した場合には、紙幣整理処理を停止させることなく、集積異常にかかる集積部１１０を異常紙幣集積部として特定する。このように、本実施形態によれば、搬送異常又は集積異常が生じた場合であっても、紙幣整理処理の停止させることなく、搬送異常にかかる異常紙幣を集積部１１０に集積する、もしくは、集積異常にかかる集積部１１０を異常紙幣集積部として特定することで、紙幣整理処理の最中における操作者による復旧作業の実施を避けることができる。したがって、紙幣整理装置１０における処理効率を向上させることができる。さらに、紙幣整理処理の最中に紙幣を取り除くために操作者によって紙幣整理処理中に紙幣整理装置１０を開けることがないため、紙幣整理処理中に、集積部１１０に集積された紙幣の数が不定となることを避けることができる。その結果、本実施形態によれば、紙幣整理処理が完了するまでは、操作者は、集積部の全て紙幣を回収し、再度計数することはなく、紙幣整理処理の完了までの間に何度も集積部１１０全ての紙幣から回収し、投入することを繰り返すことを避けることができることから、紙幣整理装置１０における処理効率を向上させることができる。
【００９２】
また、本実施形態においては、制御部１２８は、鑑別部１０２による鑑別結果が予め結束対象と定められている鑑別種別に該当する紙幣を種別ごとに集積するための集積部１１０ａ〜ｅのうち、搬送異常にかかる搬送部１１６の第４の領域１１６ｄに対応する集積部１１０を搬送異常にかかる異常紙幣を集積するための異常紙幣集積部として特定する。このようにすることで、本実施形態は、特別な集積部を新たに設けることもなく、容易に実施することが可能である。
【００９３】
なお、上述の説明においては、第１の実施形態と第２の実施形態とを別個に説明したが、第１及び第２の実施形態は、別個に実施されることに限られず、これら実施形態を組み合わせて実施してもよい。また、第１の実施形態の代わりに、第１の実施形態の変形例を組み合わせてもよい。
【００９４】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【００９５】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【符号の説明】
【００９６】
１０  紙幣整理装置
２０、３０、４０、５０  画面
１００  取込部
１０２  鑑別部
１０２ａ  排出口
１０４  リジェクトポケット
１０６  オープンポケット
１０８  表裏反転部
１１０、１１０ａ〜ｅ  集積部
１１２  移送部
１１２ａ  クランプ部
１１４  紙幣結束部
１１６  搬送部
１１６ａ〜ｄ  領域
１１８、１１８ａ  検知部
１２０  操作表示部
１２２  操作部
１２４  記憶部
１２６  外部インターフェース部
１２８  制御部
１３０  紙幣束搬送部
１３１  搬送路
１３２  集積部用検知部
１３４  扉
１４０  テープ供給部
１４２  切断部
１４４  結束機構
１４６  印字部
１４８、１５０  ローラ
１５４  収納空間
１５６  ガイド
１５８  ビルプレス
Ａ、Ｃ  分岐点
Ｂ  紙幣束
Ｔ  テープ
【図１】
2017045171.tif 000003
【図２】
2017045171.tif 000004
【図３】
2017045171.tif 000005
【図４】
2017045171.tif 000006
【図５】
2017045171.tif 000007
【図６】
2017045171.tif 000008
【図７】
2017045171.tif 000009
【図８】
2017045171.tif 000010
【図９】
2017045171.tif 000011
【図１０】
2017045171.tif 000012